(57)【特許請求の範囲】
【請求項１】
タッチパネルディスプレイと、
ペン入力モードにおいて、描画情報を前記タッチパネルディスプレイに表示し、アイコン操作モードにおいて、操作情報に基づいて、前記タッチパネルディスプレイに表示されたアイコンを操作する制御装置と、
前記制御装置にネットワークを介して接続されたタッチペンと、
を具備し、
前記タッチペンは、
前記タッチパネルディスプレイに対する前記タッチペンの両端部の向きを検出する向き検出部と、
前記両端部のうちの第１端部が前記タッチパネルディスプレイに向いている場合、ペン入力信号を出力し、前記両端部のうちの第２端部が前記タッチパネルディスプレイに向いている場合、アイコン操作信号を出力するペン動作モード制御部と、
前記ペン入力信号が出力されている前記ペン入力モードにおいて、前記第１端部が前記タッチパネルディスプレイにタッチしている場合、前記第１端部のタッチにより描画される前記描画情報を前記制御装置に出力するペン入力モード制御部と、
前記アイコン操作信号が出力されている前記アイコン操作モードにおいて、前記第２端部が前記タッチパネルディスプレイにタッチしている場合、前記第２端部のタッチにより操作される前記操作情報を前記制御装置に出力するアイコン操作モード制御部と、
を具備し、
前記第１端部及び第２端部の移動量を検出する移動量検出部
を更に具備し、
前記第２端部が前記タッチパネルディスプレイに向いていて、前記第２端部の移動量の値が第１閾値未満である場合、前記ペン動作モード制御部は、前記アイコン操作信号を前記制御装置に出力する
ことを特徴とするペン入力システム。
【請求項２】
前記タッチペンは、
電源供給終了信号に応じて、前記タッチペンへの電力供給を終了する電源部、
を更に具備し、
前記第２端部が前記タッチパネルディスプレイに向いていて、前記第２端部の移動量の値が前記第１閾値以上である場合、前記ペン動作モード制御部は、前記電源供給終了信号を前記電源部に出力する、
ことを特徴とする請求項１に記載のペン入力システム。
【請求項３】
前記タッチペンは、
第１電力で前記タッチペンに電力供給を行ない、省電力モード設定信号に応じて、前記第１電力よりも少ない第２電力で前記タッチペンに電力供給を行なう電源部と、
前記第２端部が前記タッチパネルディスプレイに向いていて、前記第２端部の移動量の値が前記第１閾値よりも大きい第２閾値以上である場合、前記省電力モード設定信号を前記電源部に出力するペン設定モード制御部と、
を更に具備することを特徴とする請求項１に記載のペン入力システム。
【請求項４】
前記省電力モード設定信号が出力されている省電力モードにおいて、次の前記タッチペンの前記第２端部の移動量の値が前記第１閾値以上、前記第２閾値未満である場合、前記ペン設定モード制御部は、前記省電力モードの解除として、前記省電力モード設定信号の出力を停止する、
ことを特徴とする請求項３に記載のペン入力システム。
【請求項５】
前記ペン入力モードにおいて、前記第１端部が前記タッチパネルディスプレイにタッチして前記描画情報を前記制御装置に出力した後に、前記第１端部の移動量の値が第３閾値以上である場合、前記ペン入力モード制御部は、前記描画情報として前記タッチパネルディスプレイに表示される文字を変換させるための文字変換命令を前記制御装置に出力する、
ことを特徴とする請求項１から４の何れか一項に記載のペン入力システム。
【請求項６】
前記制御装置は、
複数の登録文字が登録された文字データベース、
を備え、
前記制御装置は、前記ペン入力モードにおいて、
前記文字変換命令に応じて、前記文字データベースに登録された前記複数の登録文字のうちの、前記タッチパネルディスプレイに表示された前記描画情報が表す文字に最も近似する登録文字を、前記タッチパネルディスプレイに表示する、
ことを特徴とする請求項５に記載のペン入力システム。
【請求項７】
前記制御装置は、
複数の登録文字が登録された文字データベース、
を備え、
前記制御装置は、前記ペン入力モードにおいて、
前記文字変換命令に応じて、前記文字データベースに登録された前記複数の登録文字のうちの、前記タッチパネルディスプレイに表示された前記描画情報が表す文字に類似する登録文字を、候補登録文字として、前記タッチパネルディスプレイに表示し、
前記候補登録文字のうちの、前記第１端部のタッチにより選択される登録文字を、選択登録文字として、前記タッチパネルディスプレイに表示する、
ことを特徴とする請求項５に記載のペン入力システム。
【請求項８】
前記タッチペンは、
消去モード制御部、
を更に具備し、
前記ペン動作モード制御部は、前記第１端部が前記タッチパネルディスプレイに向いていなく、前記タッチペンが前記タッチパネルディスプレイの表示面に平行である場合、消去許可信号を前記制御装置に出力し、
前記消去モード制御部は、前記消去許可信号が出力されている消去モードにおいて、前記タッチパネルディスプレイに前記描画情報が表示されている文字表示領域のうちの消去指定領域を指定するように、前記タッチペンが前記タッチパネルディスプレイの表示面に平行のまま移動している場合、前記消去指定領域を消去させるための消去命令を前記制御装置に出力する、
ことを特徴とする請求項１から５のいずれか一項に記載のペン入力システム。
【請求項９】
ペン入力モードにおいて、描画情報をタッチパネルディスプレイに表示し、アイコン操作モードにおいて、操作情報に基づいて、前記タッチパネルディスプレイに表示されたアイコンを操作する制御装置に、ネットワークを介して接続されたタッチペンであって、
前記タッチパネルディスプレイに対する前記タッチペンの両端部の向きを検出する向き検出部と、
前記両端部のうちの第１端部が前記タッチパネルディスプレイに向いている場合、ペン入力信号を出力し、前記両端部のうちの第２端部が前記タッチパネルディスプレイに向いている場合、アイコン操作信号を出力するペン動作モード制御部と、
前記ペン入力信号が出力されている前記ペン入力モードにおいて、前記第１端部が前記タッチパネルディスプレイにタッチしている場合、前記第１端部のタッチにより描画される前記描画情報を前記制御装置に出力するペン入力モード制御部と、
前記アイコン操作信号が出力されている前記アイコン操作モードにおいて、前記第２端部が前記タッチパネルディスプレイにタッチしている場合、前記第２端部のタッチにより操作される前記操作情報を前記制御装置に出力するアイコン操作モード制御部と、
を具備し、
前記第１端部及び前記第２端部の移動量を検出する移動量検出部
を更に具備し、
前記第２端部が前記タッチパネルディスプレイに向いていて、前記第２端部の移動量の値が第１閾値未満である場合、前記ペン動作モード制御部は、前記アイコン操作信号を前記制御装置に出力する
ことを特徴とするタッチペン。
【請求項１０】
タッチペンが、タッチパネルディスプレイに対する前記タッチペンの両端部の向きを検出するステップと、
前記タッチペンが、前記両端部のうちの第１端部が前記タッチパネルディスプレイに向いている場合、ペン入力信号を出力し、前記両端部のうちの第２端部が前記タッチパネルディスプレイに向いている場合、アイコン操作信号を出力するステップと、
前記ペン入力信号が出力されているペン入力モードにおいて、前記第１端部が前記タッチパネルディスプレイにタッチしている場合、前記タッチペンが、前記第１端部のタッチにより描画される描画情報を出力するステップと、
前記アイコン操作信号が出力されているアイコン操作モードにおいて、前記第２端部が前記タッチパネルディスプレイにタッチしている場合、前記タッチペンが、前記第２端部のタッチにより操作される操作情報を出力するステップと、
前記アイコン操作モードにおいて、前記タッチペンにネットワークを介して接続された制御装置が、前記操作情報に基づいて、前記タッチパネルディスプレイに表示されたアイコンを操作するステップと、
を具備し、
前記第１端部及び前記第２端部の移動量を検出するステップ
を更に具備し、
前記アイコン操作信号を出力するステップにおいて、前記第２端部が前記タッチパネルディスプレイに向いていて、前記第２端部の移動量の値が第１閾値未満である場合、前記アイコン操作信号を前記制御装置に出力する
ことを特徴とするペン入力方法。
【発明の詳細な説明】
【技術分野】
【０００１】
本発明は、タッチペンにより描画された描画情報をタッチパネルディスプレイに表示するペン入力システム、タッチペン、及び、ペン入力方法に関する。
【背景技術】
【０００２】
タッチペンを用いることにより、文字等の描画情報をタッチパネルディスプレイに表示する技術が知られている。具体的には、ユーザがタッチパネルディスプレイに対してタッチペンのタッチにより描画情報を描画（入力）したとき、タッチパネルディスプレイには、その描画情報が表示される。
【０００３】
また、タッチペンを用いることにより、タッチパネルディスプレイに表示されたアイコンを操作する技術が知られている。具体的には、タッチパネルディスプレイに表示されたアイコンに対して、ユーザがタッチペンによりアイコンをタッチしたとき、そのアイコンが操作可能となる。
【０００４】
しかしながら、ユーザは、タッチペンのタッチにより描画（入力）される描画情報をタッチパネルディスプレイに表示するペン入力モードと、タッチパネルディスプレイに表示されたアイコンをタッチペンのタッチにより操作するアイコン操作モードと、を切り替えて使用することができない。
【０００５】
これを解決するために、ペン入力モードまたはアイコン操作モードを選択するためのメニューをタッチパネルディスプレイに表示する技術が知られている。具体的には、ユーザは、タッチパネルディスプレイ上のメニューに提示されたモード（ペン入力モード、アイコン操作モード）の中から、タッチペンのタッチにより１つのモード（例えば、ペン入力モード）を選択する。
【０００６】
しかしながら、ユーザは、使用したいモードを切り替える度に、タッチパネルディスプレイ上のメニューに提示されたモードの中から１つのモードを選択する作業を行なう必要がある。また、タッチパネルディスプレイが大型のタッチパネルディスプレイである場合、ユーザが上記作業を行なう度に、タッチパネルディスプレイ上のメニューが提示されたところまで移動しなければならない。このような作業や移動は、ユーザにとっては煩わしい。
【０００７】
したがって、ユーザにとっては、ペン入力モードとアイコン操作モードとを容易に切り替え可能であることが望まれる。
【０００８】
ここで、モードを切り替える技術として、ポインティングモードとライティングモードとを切り替えるペン型の装置が、特許文献１、２に開示されている。ポインティングモードでは、ユーザは、表示装置から離れた場所で、ペン型の装置を表示装置に向けて光などで指し、指している箇所の座標を入力する。ライティングモードでは、ユーザは、ペン型の装置の一端を机等の平面に触れさせながら移動させて、表示装置に表示されるカーソルの位置を指定する。
【先行技術文献】
【特許文献】
【０００９】
【特許文献１】特開２００９−２０５６０９号公報
【特許文献２】特開２００９−２３８００４号公報
【発明の概要】
【発明が解決しようとする課題】
【００１０】
しかしながら、特許文献１、２に記載された技術では、ポインティングモードとライティングモードとを切り替えるものである。すなわち、特許文献１、２に記載された装置はペン型であるが、ペン入力モードが行なわれない。したがって、特許文献１、２に記載された技術では、ペン入力モードとアイコン操作モードとを切り替えるものではない。
【００１１】
本発明は、上記従来の問題点に鑑みてなされたものであって、ペン入力モードとアイコン操作モードとを容易に切り替えることができるペン入力システム、タッチペン、及び、ペン入力方法を提供することを目的とする。
【課題を解決するための手段】
【００１２】
本発明のペン入力システムは、タッチパネルディスプレイと、ペン入力モードにおいて、描画情報を前記タッチパネルディスプレイに表示し、アイコン操作モードにおいて、操作情報に基づいて、前記タッチパネルディスプレイに表示されたアイコンを操作する制御装置と、前記制御装置にネットワークを介して接続されたタッチペンと、を具備し、前記タッチペンは、前記タッチパネルディスプレイに対する前記タッチペンの両端部の向きを検出する向き検出部と、前記両端部のうちの第１端部が前記タッチパネルディスプレイに向いている場合、ペン入力信号を出力し、前記両端部のうちの第２端部が前記タッチパネルディスプレイに向いている場合、アイコン操作信号を出力するペン動作モード制御部と、前記ペン入力信号が出力されている前記ペン入力モードにおいて、前記第１端部が前記タッチパネルディスプレイにタッチしている場合、前記第１端部のタッチにより描画される前記描画情報を前記制御装置に出力するペン入力モード制御部と、前記アイコン操作信号が出力されている前記アイコン操作モードにおいて、前記第２端部が前記タッチパネルディスプレイにタッチしている場合、前記第２端部のタッチにより操作される前記操作情報を前記制御装置に出力するアイコン操作モード制御部と、を具備し、前記第１端部及び第２端部の移動量を検出する移動量検出部を更に具備し、前記第２端部が前記タッチパネルディスプレイに向いていて、前記第２端部の移動量の値が第１閾値未満である場合、前記ペン動作モード制御部は、前記アイコン操作信号を前記制御装置に出力することを特徴とする。
【００１３】
本発明のタッチペンは、ペン入力モードにおいて、描画情報をタッチパネルディスプレイに表示し、アイコン操作モードにおいて、操作情報に基づいて、前記タッチパネルディスプレイに表示されたアイコンを操作する制御装置に、ネットワークを介して接続されたタッチペンであって、前記タッチパネルディスプレイに対する前記タッチペンの両端部の向きを検出する向き検出部と、前記両端部のうちの第１端部が前記タッチパネルディスプレイに向いている場合、ペン入力信号を出力し、前記両端部のうちの第２端部が前記タッチパネルディスプレイに向いている場合、アイコン操作信号を出力するペン動作モード制御部と、前記ペン入力信号が出力されている前記ペン入力モードにおいて、前記第１端部が前記タッチパネルディスプレイにタッチしている場合、前記第１端部のタッチにより描画される前記描画情報を前記制御装置に出力するペン入力モード制御部と、前記アイコン操作信号が出力されている前記アイコン操作モードにおいて、前記第２端部が前記タッチパネルディスプレイにタッチしている場合、前記第２端部のタッチにより操作される前記操作情報を前記制御装置に出力するアイコン操作モード制御部と、
を具備し、前記第１端部及び前記第２端部の移動量を検出する移動量検出部を更に具備し、前記第２端部が前記タッチパネルディスプレイに向いていて、前記第２端部の移動量の値が第１閾値未満である場合、前記ペン動作モード制御部は、前記アイコン操作信号を前記制御装置に出力することを特徴とする。
【００１４】
本発明のペン入力方法は、タッチペンが、タッチパネルディスプレイに対する前記タッチペンの両端部の向きを検出するステップと、前記タッチペンが、前記両端部のうちの第１端部が前記タッチパネルディスプレイに向いている場合、ペン入力信号を出力し、前記両端部のうちの第２端部が前記タッチパネルディスプレイに向いている場合、アイコン操作信号を出力するステップと、前記ペン入力信号が出力されているペン入力モードにおいて、前記第１端部が前記タッチパネルディスプレイにタッチしている場合、前記タッチペンが、前記第１端部のタッチにより描画される描画情報を出力するステップと、前記アイコン操作信号が出力されているアイコン操作モードにおいて、前記第２端部が前記タッチパネルディスプレイにタッチしている場合、前記タッチペンが、前記第２端部のタッチにより操作される操作情報を出力するステップと、前記アイコン操作モードにおいて、前記タッチペンにネットワークを介して接続された制御装置が、前記操作情報に基づいて、前記タッチパネルディスプレイに表示されたアイコンを操作するステップと、を具備し、前記第１端部及び前記第２端部の移動量を検出するステップを更に具備し、前記アイコン操作信号を出力するステップにおいて、前記第２端部が前記タッチパネルディスプレイに向いていて、前記第２端部の移動量の値が第１閾値未満である場合、前記アイコン操作信号を前記制御装置に出力することを特徴とする。
【発明の効果】
【００１５】
本発明によれば、ユーザがタッチペンに対して上述の動作を行なうことにより、ペン入力モードとアイコン操作モードとを容易に切り替えることができる。
【図面の簡単な説明】
【００１６】
【図１】本発明の第１実施形態に係るペン入力システムの構成を示すブロック図である。
【図２】本発明の第１実施形態に係るペン入力システムを説明するための図である。
【図３】本発明の第１実施形態に係るペン入力システムの動作（ペン入力方法）を示すフローチャートである。
【図４】図３の座標設定処理（ステップＳ２）を説明するための図である。
【図５】図３の座標設定処理（ステップＳ２）を説明するための図である。
【図６】図３のペン動作モード（ステップＳ３）を示すフローチャートである。
【図７】図６のペン入力モード（ステップＳ３０）を示すフローチャートである。
【図８】図６のアイコン操作モード（ステップＳ５０）を示すフローチャートである。
【図９】図６のステップＳ４０の判定を説明するための図である。
【図１０】図６のステップＳ４０の判定を説明するための図である。
【図１１】図６のステップＳ４０の判定を説明するための図である。
【図１２】本発明の第２実施形態に係るペン入力システムの構成を示すブロック図である。
【図１３】図３のペン動作モード（ステップＳ３）を示すフローチャートである。
【図１４】図１３のペン設定モード（ステップＳ６０）を示すフローチャートである。
【図１５】図１４のステップＳ６２の判定を説明するための図である。
【図１６】図１４のステップＳ６４の判定を説明するための図である。
【図１７】本発明の第３実施形態に係るペン入力システムの構成を示すブロック図である。
【図１８】本発明の第３実施形態に係るペン入力システムにおける文字データベース２３０を示す図である。
【図１９】図３のペン動作モード（ステップＳ３）を示すフローチャートである。
【図２０】図１９のペン入力モード（ステップＳ３０）を示すフローチャートである。
【図２１】図２０のステップＳ３４の判定を説明するための図である。
【図２２】図２０のステップＳ３４の判定を説明するための図である。
【図２３】図２０のステップＳ３５、Ｓ３０１の処理を説明するための図である。
【図２４】図２０のステップＳ３５、Ｓ３０１の処理を説明するための図である。
【図２５】図２０のステップＳ３５、Ｓ３０１の処理を説明するための図である。
【図２６】図２０のステップＳ３５、Ｓ３０１の処理を説明するための図である。
【図２７】本発明の第４実施形態に係るペン入力システムの構成を示すブロック図である。
【図２８】図３のペン動作モード（ステップＳ３）を示すフローチャートである。
【図２９】図２８の消去モード（ステップＳ８０）を示すフローチャートである。
【図３０】図２９のステップＳ８１の判定を説明するための図である。
【発明を実施するための形態】
【００１７】
以下、図面を参照しながら本発明の実施形態について説明する。
【００１８】
［第１実施形態］
図１は、本発明の第１実施形態に係るペン入力システムの構成を示すブロック図である。図２は、本発明の第１実施形態に係るペン入力システムを説明するための図である。
【００１９】
図１に示されるように、本発明の第１実施形態に係るペン入力システムは、タッチパネルディスプレイ１００と、制御装置２００と、タッチペン３００と、を具備している。
【００２０】
図１に示されるように、タッチパネルディスプレイ１００は、タッチパネル１１０と、表示画面１２０と、を具備している。
【００２１】
表示画面１２０は、ＬＣＤ（Ｌｉｑｕｉｄ  Ｃｒｙｓｔａｌ  Ｄｉｓｐｌａｙ）などの表示部である。
【００２２】
タッチパネル１１０は、表示画面１２０に設けられている。タッチパネル１１０は、ユーザが表示画面１２０に対してタッチペン３００により文字等の描画情報を描画（入力）したとき、表示画面１２０に対するユーザの入力を検知する入力検知部である。
【００２３】
図１に示されるように、制御装置２００は、タッチパネルディスプレイ１００に接続されている。
【００２４】
図１に示されるように、制御装置２００は、記憶部２１０と、制御部２２０とを具備している。記憶部２１０にはコンピュータプログラムが格納されている。制御部２２０は、ＣＰＵ（Central Processing Unit）であり、記憶部２１０に格納されたコンピュータプログラムを読み出して実行する。
【００２５】
図１に示されるように、制御部２２０は、ペン入力表示制御部２２１と、アイコン表示制御部２２２と、を備えている。
【００２６】
ペン入力表示制御部２２１は、後述のペン入力モードにおいて、後述の描画情報をタッチパネルディスプレイ１００の表示画面１２０に表示する。
【００２７】
アイコン表示制御部２２２は、後述のアイコン操作モードにおいて、後述の操作情報に基づいて、タッチパネルディスプレイ１００の表示画面１２０に表示されたアイコン２０（図２を参照）を操作する。
【００２８】
図２に示されるように、アイコン表示制御部２２２は、タッチパネルディスプレイ１００の表示画面１２０に描画情報を表示している文字表示領域１０とは異なる領域に、アイコン２０を表示している。
【００２９】
図１に示されるように、タッチペン３００は、タッチパネルディスプレイ１００にタッチするためのペンである。また、タッチペン３００は、制御装置２００に、ネットワークＮＥを介して接続されている。
【００３０】
図１に示されるように、タッチペン３００は、記憶部３１０と、制御部３２０とを具備している。記憶部３１０にはコンピュータプログラムが格納されている。制御部３２０は、ＣＰＵであり、記憶部３１０に格納されたコンピュータプログラムを読み出して実行する。
【００３１】
図１に示されるように、タッチペン３００は、更に、ジャイロセンサ３３０と、加速度センサ３４０と、第１スイッチ３５０と、第２スイッチ３６０と、電源部３７０と、電源スイッチ３８０と、を具備している。
【００３２】
ジャイロセンサ３３０は、タッチパネルディスプレイ１００に対するタッチペン３００の両端部３１、３２（図２を参照）の向きを検出する向き検出部である。
【００３３】
加速度センサ３４０は、タッチペン３００の両端部３１、３２のうちの第１端部３１（図２を参照）及び第２端部３２（図２を参照）の移動量を検出する移動量検出部である。
【００３４】
第１スイッチ３５０は、タッチペン３００の第１端部３１に設けられている。第１スイッチ３５０は、タッチペン３００の第１端部３１がタッチされたときに、そのタッチを検出する。
【００３５】
第２スイッチ３６０は、タッチペン３００の第２端部３２に設けられている。第２スイッチ３６０は、タッチペン３００の第２端部３２がタッチされたときに、そのタッチを検出する。
【００３６】
電源スイッチ３８０は、タッチペン３００に側面に設けられている。電源スイッチ３８０は、ユーザがオンしたときに、電源供給開始信号を電源部３７０に出力し、ユーザがオフしたときに、電源供給終了信号を電源部３７０に出力する。
【００３７】
電源部３７０は、バッテリー３７２を有している。電源部３７０は、電源供給開始信号に応じて、バッテリー３７２から第１電力でタッチペン３００に電力供給を行なう。電源部３７０は、電源供給終了信号に応じて、タッチペン３００への電力供給を終了する。
【００３８】
図１に示されるように、制御部３２０は、座標設定制御部３２１と、ペン動作モード制御部３２２と、ペン入力モード制御部３２３と、アイコン操作モード制御部３２４と、を備えている。制御部３２０の各構成の動作については後述する。
【００３９】
次に、本発明の第１実施形態に係るペン入力システムの動作（ペン入力方法）について、図３〜１１を用いて説明する。
【００４０】
図３は、本発明の第１実施形態に係るペン入力システムの動作（ペン入力方法）を示すフローチャートである。図４、５は、図３の座標設定処理（ステップＳ２）を説明するための図である。図６は、図３のペン動作モード（ステップＳ３）を示すフローチャートである。図７は、図６のペン入力モード（ステップＳ３０）を示すフローチャートである。図８は、図６のアイコン操作モード（ステップＳ５０）を示すフローチャートである。図９〜１１は、図６のステップＳ４０の判定を説明するための図である。
【００４１】
まず、図３に示されるように、ユーザは、タッチペン３００の電源スイッチ３８０（図１）をオンする（ステップＳ１）。このとき、タッチペン３００において、電源スイッチ３８０（図１）は、電源供給開始信号を電源部３７０（図１）に出力する。電源部３７０（図１）は、電源供給開始信号に応じて、バッテリー３７２（図１）から第１電力でタッチペン３００（図１）に電力供給を行なう。
【００４２】
次に、図３に示されるように、タッチペン３００の座標設定制御部３２１（図１）は、タッチパネルディスプレイ１００（図１）に対するタッチペン３００の向き（座標）を設定するための座標設定処理（ステップＳ２）を行なう。
【００４３】
座標設定処理（ステップＳ２）において、例えば、図４、５に示されるように、ユーザは、タッチペン３００の第１端部３１で、タッチパネルディスプレイ１００の表示画面１２０の交わる２辺をなぞる。このとき、座標設定制御部３２１（図１）は、タッチペン３００の第１端部３１でなぞられた２辺をＹ軸及びＺ軸として設定とし、タッチパネルディスプレイ１００に対するタッチペン３００の向きをＸ軸として設定する。座標設定制御部３２１（図１）は、設定したＸ、Ｙ、Ｚ軸を、ジャイロセンサ３３０（図１）の出力に反映させる。
【００４４】
次に、図３に示されるように、タッチペン３００（図１、２）のペン動作モード制御部３２２（図１）は、ペン動作モード（ステップＳ３）を行なう。
【００４５】
ペン動作モード（ステップＳ３）において、図６に示されるように、ジャイロセンサ３３０（図１）の出力が、タッチペン３００（図１、２）の第１端部３１（図２）がタッチパネルディスプレイ１００（図１、２）に向いていることを表している（ステップＳ１０−Ｙｅｓ）。この場合、ペン動作モード制御部３２２（図１）は、ペン入力信号を制御装置２００（図１）に出力する。
【００４６】
次に、ペン動作モード（ステップＳ３）において、図６に示されるように、第１スイッチ３５０（図１）の出力が、タッチペン３００（図１、２）の第１端部３１（図２）がタッチパネルディスプレイ１００（図１、２）にタッチしていることを表している（ステップＳ２０−Ｙｅｓ）。この場合、ペン入力信号が出力されているペン入力モード（ステップＳ３０）が行なわれる。ペン入力モード（ステップＳ３０）については後述する。
【００４７】
一方、ペン動作モード（ステップＳ３）において、図６に示されるように、第１スイッチ３５０（図１）の出力が、タッチペン３００（図１、２）の第１端部３１（図２）がタッチパネルディスプレイ１００（図１）にタッチしていることを表していない（ステップＳ２０−Ｎｏ）。この場合、上述のステップＳ１０が行なわれる。
【００４８】
ペン入力モード（ステップＳ３０）において、図７に示されるように、タッチペン３００（図１）のペン入力モード制御部３２３（図１）は、タッチペン３００（図１）の第１端部３１（図２）のタッチにより描画（入力）される描画情報を制御装置２００に出力する（ステップＳ３１）。この場合、制御装置２００のペン入力表示制御部２２１（図１）は、タッチペン３００（図１、２）から出力された描画情報をタッチパネルディスプレイ１００（図１、２）の表示画面１２０（図１）に表示する（ステップＳ３００）。
【００４９】
次に、ペン入力モード（ステップＳ３０）において、図７に示されるように、第１スイッチ３５０（図１）の出力が、タッチペン３００（図１、２）の第１端部３１（図２）がタッチパネルディスプレイ１００（図１、２）にタッチしていることを表している（ステップＳ３２−Ｙｅｓ）。この場合、上述のステップＳ３１が行なわれる。一方、第１スイッチ３５０（図１）の出力が、タッチペン３００（図１、２）の第１端部３１（図２）がタッチパネルディスプレイ１００（図１、２）にタッチしていることを表していない（ステップＳ３２−Ｎｏ）。この場合、ペン入力モード（ステップＳ３０）が終了し、上述のステップＳ１０（図６）が行なわれる。
【００５０】
ペン動作モード（ステップＳ３）において、図６に示されるように、ジャイロセンサ３３０（図１）の出力が、タッチペン３００（図１、２）の第２端部３２（図２）がタッチパネルディスプレイ１００（図１、２）に向いていることを表している（ステップＳ１０−Ｎｏ）。
【００５１】
次に、ペン動作モード（ステップＳ３）において、図９、１０に示されるように、加速度センサ３４０（図１）の出力が、タッチペン３００の第２端部３２の移動量の値Ｌが第１閾値Ｌ１０未満であることを表している（図６のステップＳ４０−Ｎｏ）。この場合、ペン動作モード制御部３２２（図１）は、アイコン操作信号を制御装置２００（図１）に出力する。その後、アイコン操作信号が出力されているアイコン操作モード（ステップＳ５０）が行なわれる。アイコン操作モード（ステップＳ５０）については後述する。
【００５２】
一方、ペン動作モード（ステップＳ３）において、図１１に示されるように、加速度センサ３４０（図１）の出力が、タッチペン３００の第２端部３２の移動量の値Ｌが第１閾値Ｌ１０以上であることを表している（図６のステップＳ４０−Ｙｅｓ）。この場合、ペン動作モード制御部３２２（図１）は、ペン設定信号を出力する。その後、ペン設定信号が出力されているペン設定モード（ステップＳ６０）が行なわれる。
【００５３】
ペン設定モード（ステップＳ６０）において、ペン動作モード制御部３２２（図１）は、電源供給終了信号を電源部３７０（図１）に出力する。電源部３７０（図１）は、電源供給終了信号に応じて、タッチペン３００（図１、２）への電力供給を終了する。その後、ペン設定モード（ステップＳ６０）共にペン動作モード（ステップＳ３）が終了し、後述のステップＳ４（図３）が行なわれる。
【００５４】
アイコン操作モード（ステップＳ５０）において、図８に示されるように、ジャイロセンサ３３０（図１）の出力が、タッチペン３００（図１、２）の第２端部３２（図２）がタッチパネルディスプレイ１００（図１、２）に向いていることを表している（ステップＳ５１−Ｙｅｓ）。しかし、第２スイッチ３６０（図１）の出力が、タッチペン３００（図１、２）の第２端部３２（図２）がタッチパネルディスプレイ１００（図１、２）にタッチしていることを表していない（ステップＳ５２−Ｎｏ）。この場合、上述のステップＳ５１の判定が行なわれる。
【００５５】
ここで、アイコン操作モード（ステップＳ５０）において、図８に示されるように、ジャイロセンサ３３０（図１）の出力が、タッチペン３００（図１、２）の第２端部３２（図２）がタッチパネルディスプレイ１００（図１、２）に向いていることを表している（ステップＳ５１−Ｙｅｓ）。更に、第２スイッチ３６０（図１）の出力が、タッチペン３００（図１、２）の第２端部３２（図２）がタッチパネルディスプレイ１００（図１、２）にタッチしていることを表している（ステップＳ５２−Ｙｅｓ）。この場合、タッチペン３００（図１、２）のアイコン操作モード制御部３２４（図１）は、タッチペン３００（図１、２）の第２端部３２（図２）のタッチにより操作される操作情報を制御装置２００に出力する（ステップＳ５３）。制御装置２００のアイコン表示制御部２２２（図１）は、タッチペン３００（図１、２）から出力された操作情報に基づいて、タッチパネルディスプレイ１００（図１、２）の表示画面１２０（図１）に表示されたアイコン２０（図２）を操作する（ステップＳ５００）。その後、アイコン操作モード（ステップＳ５０）が終了し、後述のステップＳ４（図３）が行なわれる。
【００５６】
一方、アイコン操作モード（ステップＳ５０）において、図８に示されるように、ジャイロセンサ３３０（図１）の出力が、タッチペン３００（図１、２）の第２端部３２（図２）がタッチパネルディスプレイ１００（図１、２）に向いていることを表していない（ステップＳ５１−Ｎｏ）。この場合、アイコン操作モード（ステップＳ５０）が終了し、後述のステップＳ４（図３）が行なわれる。
【００５７】
図３に示されるように、ユーザが電源スイッチ３８０（図１）をオフしていない場合（ステップＳ４−Ｎｏ）、上述のペン動作モード（ステップＳ３）が行なわれる。
【００５８】
図３に示されるように、ユーザが電源スイッチ３８０（図１）をオフした場合（ステップＳ４−Ｙｅｓ）、電源スイッチ３８０は、電源供給終了信号を電源部３７０（図１）に出力する。この場合、電源部３７０は、電源供給終了信号に応じて、タッチペン３００への電力供給を終了する。
【００５９】
以上の説明により、本発明の第１実施形態に係るペン入力システムでは、図１〜８に示されるように、タッチパネルディスプレイ１００と、ペン入力モードにおいて、描画情報をタッチパネルディスプレイ１００に表示し、アイコン操作モードにおいて、操作情報に基づいて、タッチパネルディスプレイ１００に表示されたアイコン２０を操作する制御装置２００と、制御装置２００にネットワークＮＥを介して接続され、タッチパネルディスプレイ１００にタッチするためのタッチペン３００と、を具備している。タッチペン３００は、タッチパネルディスプレイ１００に対するタッチペン３００の両端部３１、３２の向きを検出する向き検出部（ジャイロセンサ３３０）と、両端部３１、３２のうちの第１端部３１がタッチパネルディスプレイ１００に向いている場合、ペン入力信号を出力し、両端部３１、３２のうちの第２端部３２がタッチパネルディスプレイ１００に向いている場合、アイコン操作信号を出力するペン動作モード制御部３２２と、ペン入力信号が出力されているペン入力モードにおいて、第１端部３１がタッチパネルディスプレイ１００にタッチしている場合、第１端部３１のタッチにより描画される描画情報を制御装置２００に出力するペン入力モード制御部３２３と、アイコン操作信号が出力されているアイコン操作モードにおいて、第２端部３２がタッチパネルディスプレイ１００にタッチしている場合、第２端部３２のタッチにより操作される操作情報を制御装置２００に出力するアイコン操作モード制御部３２４と、を具備している。
【００６０】
また、本発明の第１実施形態に係るペン入力システムでは、図１、２、６、９、１０に示されるように、タッチペン３００は、第１端部３１及び第２端部３２の移動量を検出する移動量検出部（加速度センサ３４０）を更に具備している。第２端部３２がタッチパネルディスプレイ１００に向いていて、第２端部３２の移動量の値Ｌが第１閾値Ｌ１０未満である場合、ペン動作モード制御部３２２は、アイコン操作信号を制御装置２００に出力する。
【００６１】
このように、本発明の第１実施形態に係るペン入力システムによれば、ユーザがタッチペン３００に対して上述の動作を行なうことにより、ペン入力モードとアイコン操作モードとを容易に切り替えることができる。
【００６２】
また、本発明の第１実施形態に係るペン入力システムでは、図１、６、１１に示されるように、タッチペン３００は、電源供給終了信号に応じて、タッチペン３００への電力供給を終了する電源部３７０を更に具備している。第２端部３２がタッチパネルディスプレイ１００に向いていて、第２端部３２の移動量の値Ｌが第１閾値Ｌ１０以上である場合、ペン動作モード制御部３２２は、電源供給終了信号を電源部３７０に出力する。
【００６３】
このように、本発明の第１実施形態に係るペン入力システムによれば、ユーザがタッチペン３００に対して上述の動作を行なうことにより、ペン入力モードとアイコン操作モードとペン設定モード（電源供給終了）とを容易に切り替えることができる。
【００６４】
［第２実施形態］
本発明の第２実施形態に係るペン入力システムでは、第１実施形態からの変更点を説明する。
【００６５】
図１２は、本発明の第２実施形態に係るペン入力システムの構成を示すブロック図である。図１２に示されるように、タッチペン３００において、制御部３２０は、更に、ペン設定モード制御部３２５を備えている。
【００６６】
次に、本発明の第２実施形態に係るペン入力システムの動作（ペン入力方法）について、図１３〜１６を用いて説明する。
【００６７】
図１３は、図３のペン動作モード（ステップＳ３）を示すフローチャートである。図１４は、図１３のペン設定モード（ステップＳ６０）を示すフローチャートである。図１５は、図１４のステップＳ６２の判定を説明するための図である。図１６は、図１４のステップＳ６４の判定を説明するための図である。
【００６８】
まず、前述のステップＳ１〜Ｓ３（図３）が行なわれる。
【００６９】
ペン動作モード（ステップＳ３）において、図１３に示されるように、ジャイロセンサ３３０（図１２）の出力が、タッチペン３００（図２、１２）の第２端部３２（図２）がタッチパネルディスプレイ１００（図２、１２）に向いていることを表している（ステップＳ１０−Ｎｏ）。
【００７０】
ペン動作モード（ステップＳ３）において、図１１に示されるように、加速度センサ３４０（図１２）の出力が、タッチペン３００の第２端部３２の移動量の値Ｌが第１閾値Ｌ１０以上であることを表している（図１３のステップＳ４０−Ｙｅｓ）。この場合、ペン設定モード（ステップＳ６０）が行なわれる。
【００７１】
いま、ペン設定モード（ステップＳ６０）において、図１４に示されるように、省電力モードではないものとする（ステップＳ６１−Ｎｏ）。そこで、図１５に示されるように、上述の値Ｌが第１閾値Ｌ１０よりも大きい第２閾値Ｌ２０以上である場合（図１３のステップＳ６２−Ｙｅｓ）、ペン設定モード制御部３２５（図１２）は、省電力モード設定信号を電源部３７０（図１２）に出力する（ステップＳ６３）。この場合、電源部３７０（図１２）は、省電力モード設定信号に応じて、バッテリー３７２（図１２）から第１電力よりも少ない第２電力でタッチペン３００に電力供給を行なう。その後、ペン設定モード（ステップＳ６０）共にペン動作モード（ステップＳ３）が終了し、前述のステップＳ４（図３）が行なわれる。
【００７２】
一方、ペン設定モード（ステップＳ６０）において、上述の値Ｌが第２閾値Ｌ２０以上ではない場合（図１３のステップＳ６２−Ｎｏ）、ペン設定モード（ステップＳ６０）共にペン動作モード（ステップＳ３）が終了し、前述のステップＳ４（図３）が行なわれる。
【００７３】
いま、ペン設定モード（ステップＳ６０）において、図１４に示されるように、省電力モードであるものとする（ステップＳ６１−Ｙｅｓ）。そこで、図１６に示されるように、上述の値Ｌが第１閾値Ｌ１０以上、第２閾値Ｌ２０未満である場合（ステップＳ６４−Ｙｅｓ）、ペン設定モード制御部３２５（図１２）は、省電力モード（ステップＳ６１）の解除として、省電力モード設定信号の出力を停止する（ステップＳ６５）。この場合、電源部３７０（図１２）は、省電力モード設定信号の出力停止に応じて、バッテリー３７２（図１２）から第１電力でタッチペン３００（図１２）に電力供給を行なう。
【００７４】
一方、ペン設定モード（ステップＳ６０）において、上述の値Ｌが第１閾値Ｌ１０以上、第２閾値Ｌ２０未満ではない場合（図１３のステップＳ６４−Ｎｏ）、上述のステップＳ６１の判定が行なわれる。
【００７５】
以上の説明により、本発明の第２実施形態に係るペン入力システムでは、図１２〜１５に示されるように、タッチペン３００は、第１電力でタッチペン３００に電力供給を行ない、省電力モード設定信号に応じて、第１電力よりも少ない第２電力でタッチペン３００に電力供給を行なう電源部３７０と、第２端部３２がタッチパネルディスプレイ１００に向いていて、第２端部３２の移動量の値Ｌが第１閾値Ｌ１０よりも大きい第２閾値Ｌ２０以上である場合、省電力モード設定信号を電源部３７０に出力するペン設定モード制御部３２５と、を更に具備している。
【００７６】
また、本発明の第２実施形態に係るペン入力システムでは、図１４、１６に示されるように、省電力モード設定信号を電源部３７０に出力している省電力モードにおいて、次のタッチペン３００の第２端部３２の移動量の値Ｌが第１閾値Ｌ１０以上、第２閾値Ｌ２０未満である場合、ペン設定モード制御部３２５は、省電力モードの解除として、省電力モード設定信号の出力を停止する。
【００７７】
このように、本発明の第２実施形態に係るペン入力システムによれば、ユーザがタッチペン３００に対して上述の動作を行なうことにより、ペン入力モードとアイコン操作モードとペン設定モード（省電力モード）とを容易に切り替えることができる。
【００７８】
［第３実施形態］
本発明の第３実施形態に係るペン入力システムでは、第２実施形態からの変更点を説明する。
【００７９】
図１７は、本発明の第３実施形態に係るペン入力システムの構成を示すブロック図である。図１７に示されるように、制御装置２００において、制御部２０２は、更に、文字データベース２３０を備えている。
【００８０】
図１８は、本発明の第３実施形態に係るペン入力システムにおける文字データベース２３０を示す図である。
【００８１】
図１８に示されるように、文字データベース２２１には、複数の登録文字が登録されている。複数の登録文字の各々は、設定されたフォントにより文字データベース２３０に登録されている。フォントは、コンピュータが画面（表示画面１２０）に表示したり、紙面に印刷したりするために利用されているデータ（書体データ）である。複数の登録文字としては、日本語のひらがな、カタカナ、漢字や、アルファベット、数字、記号などがあげられる。
【００８２】
次に、本発明の第３実施形態に係るペン入力システムの動作（ペン入力方法）について、図１９〜２６を用いて説明する。
【００８３】
図１９は、図３のペン動作モード（ステップＳ３）を示すフローチャートである。図２０は、図１９のペン入力モード（ステップＳ３０）を示すフローチャートである。図２１、２２は、図２０のステップＳ３４の判定を説明するための図である。図２３〜２６は、図２０のステップＳ３５、Ｓ３０１の処理を説明するための図である。
【００８４】
まず、前述のステップＳ１〜Ｓ３（図３）が行なわれる。
【００８５】
ペン動作モード（ステップＳ３）において、図１９に示されるように、ジャイロセンサ３３０（図１７）の出力が、タッチペン３００（図２、１７）の第１端部３１（図２）がタッチパネルディスプレイ１００（図２、１７）に向いていることを表している（ステップＳ１０−Ｙｅｓ）。この場合、ペン動作モード制御部３２２（図１７）は、ペン入力信号を制御装置２００（図１７）に出力する。
【００８６】
次に、図１９に示されるように、第１スイッチ３５０（図１７）の出力が、タッチペン３００（図２、１７）の第１端部３１（図２）がタッチパネルディスプレイ１００（図２、１７）にタッチしていることを表している（ステップＳ２０−Ｙｅｓ）。この場合、ペン入力信号が出力されているペン入力モード（ステップＳ３０）が行なわれる。
【００８７】
ペン入力モード（ステップＳ３０）において、図２０に示されるように、タッチペン３００（図２、１７）のペン入力モード制御部３２３（図１７）は、タッチペン３００（図２、１７）の第１端部３１（図２）のタッチにより描画（入力）される描画情報を制御装置２００に出力する（ステップＳ３１）。この場合、制御装置２００のペン入力表示制御部２２１（図１７）は、タッチペン３００（図２、１７）から出力された描画情報をタッチパネルディスプレイ１００（図２、１７）の表示画面１２０（図１７）に表示する（ステップＳ３００）。
【００８８】
次に、ペン入力モード（ステップＳ３０）において、図２０に示されるように、第１スイッチ３５０（図１７）の出力が、タッチペン３００（図２、１７）の第１端部３１（図２）がタッチパネルディスプレイ１００（図２、１７）にタッチしていることを表していない（ステップＳ３２−Ｎｏ）。また、図２０に示されるように、ジャイロセンサ３３０の出力が、タッチペン３００（図２、１７）の第１端部３１（図２）がタッチパネルディスプレイ１００（図２、１７）に向いていることを表している（ステップＳ３３−Ｙｅｓ）。更に、図２１、２２に示されるように、加速度センサ３４０（図１７）の出力が、タッチペン３００の第１端部３１の移動量の値Ｌが第３閾値Ｌ３０以上であることを表している（図２０のステップＳ３４−Ｙｅｓ）。この場合、図２０に示されるように、ペン入力モード制御部３２３（図１７）は、描画情報としてタッチパネルディスプレイ１００（図２、１７）の表示画面１２０（図１７）に表示される文字を変換させるための文字変換命令を制御装置２００に出力する（ステップＳ３５）。制御装置２００は、文字変換命令に応じて、後述の文字変換処理（ステップＳ３０１）を行なう。
【００８９】
一方、ペン入力モード（ステップＳ３０）において、図２０に示されるように、第１スイッチ３５０（図１７）の出力が、タッチペン３００（図２、１７）の第１端部３１（図２）がタッチパネルディスプレイ１００（図２、１７）にタッチしていることを表している（ステップＳ３２−Ｙｅｓ）。この場合、上述のステップＳ３１が行なわれる。また、加速度センサ３４０（図１７）の出力が、タッチペン３００（図２、１７）の第１端部３１（図２）の移動量の値Ｌが第３閾値Ｌ３０未満であることを表している（ステップＳ３４−Ｙｅｓ）。この場合、上述のステップＳ３１が行なわれる。
【００９０】
ペン入力モード（ステップＳ３０）の文字変換処理（ステップＳ３０１）としては、文字清書処理と、文字候補提示処理とがあげられる。文字清書処理は、ユーザがタッチペン３００を用いて入力した文字（手書き文字）から、文字データベース２２１に登録された登録文字に変換する処理である。文字候補提示処理は、ユーザがタッチペン３００を用いて入力した文字（入力文字）に対して、文字データベース２２１に登録された登録文字の候補を提示する処理である。
【００９１】
まず、文字清書処理について説明する。
【００９２】
図２３に示されるように、いま、ユーザは、タッチペン３００の第１端部３１により、タッチパネルディスプレイ１００に対して、文字１１（例えば、手書き文字として、数字の「４」）を表す描画情報を描画（入力）している。この場合、ペン入力モード制御部３２３（図１７）は、描画情報としてタッチパネルディスプレイ１００の表示画面１２０（図１７）に表示される手書き文字１１「４」を変換させるための文字変換命令を制御装置２００（図１７）に出力する。制御装置２００（図１７）のペン入力表示制御部２２１（図１７）は、文字変換命令に応じて、文字データベース２２１（図１８）に登録された複数の登録文字の中から、タッチパネルディスプレイ１００の表示画面１２０（図１７）に表示された描画情報が表す手書き文字１１「４」に最も近似する登録文字「４」を、近似登録文字１２（図２４を参照）として選択する。
【００９３】
近似登録文字１２「４」が選択された場合、図２４に示されるように、制御装置２００（図１７）のペン入力表示制御部２２１（図１７）は、描画情報が表す手書き文字１１「４」（図２３）に代えて、近似登録文字１２「４」をタッチパネルディスプレイ１００の表示画面１２０（図１７）に表示する。
【００９４】
次に、文字候補提示処理について説明する。
【００９５】
図２５に示されるように、いま、ユーザは、タッチペン３００の第１端部３１により、タッチパネルディスプレイ１００に対して、文字１３（例えば、入力文字として、日本語のひらがなの「きかく」）を表す描画情報を描画（入力）している。この場合、ペン入力モード制御部３２３（図１７）は、描画情報としてタッチパネルディスプレイ１００の表示画面１２０（図１７）に表示される入力文字１３「きかく」を変換させるための文字変換命令を制御装置２００（図１７）に出力する。制御装置２００（図１７）のペン入力表示制御部２２１（図１７）は、文字変換命令に応じて、文字データベース２２１（図１８）に登録された複数の登録文字の中から、タッチパネルディスプレイ１００の表示画面１２０（図１７）に表示された描画情報が表す入力文字１３「きかく」に類似する登録文字（例えば、日本語の漢字の「企画」、「規格」や、日本語のカタカナの「キカク」）を、候補登録文字１４（図２６を参照）として選択する。
【００９６】
候補登録文字１４「企画」、「規格」、「キカク」が選択された場合、図２６に示されるように、制御装置２００（図１７）のペン入力表示制御部２２１（図１７）は、その候補登録文字１４「企画」、「規格」、「キカク」を、タッチパネルディスプレイ１００の表示画面１２０（図１７）に表示する。いま、ユーザは、タッチペン３００の第１端部３１を用いて、タッチパネルディスプレイ１００の表示画面１２０（図１７）に表示された候補登録文字１４「企画」、「規格」、「キカク」のうちの１つの登録文字（例えば、「企画」）をタッチしたものとする。この場合、制御装置２００（図１７）のペン入力表示制御部２２１（図１７）は、タッチペン３００の第１端部３１のタッチにより選択される登録文字「企画」を、選択登録文字として選択し、描画情報が表す入力文字１３「きかく」に代えて選択登録文字「企画」を、タッチパネルディスプレイ１００の表示画面１２０（図１７）に表示する。
【００９７】
以上の説明により、本発明の第３実施形態に係るペン入力システムでは、図１７、１９〜２２に示されるように、ペン入力モードにおいて、第１端部３１がタッチパネルディスプレイ１００にタッチして描画情報を制御装置２００に出力した後に、第１端部３１の移動量の値Ｌが第３閾値Ｌ３０以上である場合、ペン入力モード制御部３２３は、描画情報としてタッチパネルディスプレイ１００に表示される文字を変換させるための文字変換命令を制御装置２００に出力する。
【００９８】
また、本発明の第３実施形態に係るペン入力システムでは、図１７、１８、２３、２４に示されるように、制御装置２００は、複数の登録文字が登録された文字データベース２２１を備えている。制御装置２００は、ペン入力モードにおいて、文字変換命令に応じて、文字データベース２２１に登録された複数の登録文字のうちの、タッチパネルディスプレイ１００に表示された描画情報が表す文字１１に最も近似する登録文字を、タッチパネルディスプレイ１００に表示する。
【００９９】
また、本発明の第３実施形態に係るペン入力システムでは、図１７、１８、２５、２６に示されるように、制御装置２００は、複数の登録文字が登録された文字データベース２２１を備えている。制御装置２００は、ペン入力モードにおいて、文字変換命令に応じて、文字データベース２２１に登録された複数の登録文字のうちの、タッチパネルディスプレイ１００に表示された描画情報が表す文字１３に類似する登録文字を、候補登録文字１４として、タッチパネルディスプレイ１００に表示し、候補登録文字１４のうちの、第１端部３１のタッチにより選択される登録文字を、選択登録文字として、タッチパネルディスプレイ１００に表示する。
【０１００】
このように、本発明の第３実施形態に係るペン入力システムによれば、ユーザがタッチペン３００に対して上述の動作を行なうことにより、ペン入力モードとアイコン操作モードとペン設定モード（省電力モード）とを容易に切り替えることができる。また、ペン入力モードにおいて、ユーザがタッチペン３００に対して上述の動作を行なうことにより、文字変換命令を容易に行なうことができる。
【０１０１】
［第４実施形態］
本発明の第４実施形態に係るペン入力システムでは、第３実施形態からの変更点を説明する。
【０１０２】
図２７は、本発明の第４実施形態に係るペン入力システムの構成を示すブロック図である。図２７に示されるように、タッチペン３００において、制御部３２０は、更に、消去モード制御部３２６を備えている。
【０１０３】
次に、本発明の第４実施形態に係るペン入力システムの動作（ペン入力方法）について、図２８〜３０を用いて説明する。
【０１０４】
図２８は、図３のペン動作モード（ステップＳ３）を示すフローチャートである。図２９は、図２８の消去モード（ステップＳ８０）を示すフローチャートである。図３０は、図２９のステップＳ８１の判定を説明するための図である。
【０１０５】
まず、前述のステップＳ１〜Ｓ３（図３）が行なわれる。
【０１０６】
ペン動作モード（ステップＳ３）において、図２８に示されるように、ジャイロセンサ３３０（図２７）の出力が、タッチペン３００（図２、２７）の第１端部３１（図２）がタッチパネルディスプレイ１００（図２、２７）に向いていないことを表している（ステップＳ１０−Ｎｏ）。更に、ジャイロセンサ３３０（図２７）の出力が、タッチペン３００（図２、２７）がタッチパネルディスプレイ１００（図２、２７）の表示面（図２７の表示画面１２０）に平行であることを表している（ステップＳ７０−Ｙｅｓ）。この場合、ペン動作モード制御部３２２（図２７）は、消去許可信号を制御装置２００（図２７）に出力する。その後、消去許可信号が出力されている消去モード（ステップＳ８０）が行なわれる。
【０１０７】
一方、ペン動作モード（ステップＳ３）において、図２８に示されるように、ジャイロセンサ３３０（図２７）の出力が、タッチペン３００（図２、２７）がタッチパネルディスプレイ１００（図２、２７）の表示面（図２７の表示画面１２０）に平行ではないことを表している（ステップＳ７０−Ｎｏ）。この場合、前述のステップＳ４０の判定が行なわれる。
【０１０８】
消去モード（ステップＳ８０）において、図３０に示されるように、ユーザは、タッチパネルディスプレイ１００の表示画面１２０（図２７）に描画情報が表示されている文字表示領域１０のうちの、消去指定領域１５を指定するように、タッチペン３００をタッチパネルディスプレイ１００の表示面（図２７の表示画面１２０）に平行のまま移動させている。そこで、図２９に示されるように、ジャイロセンサ３３０（図２７）の出力、及び、加速度センサ３４０（図２７）の出力が、タッチペン３００（図２７、３０）がタッチパネルディスプレイ１００（図２７、３０）の表示面（図２７の表示画面１２０）に平行のまま移動していることを表している（ステップＳ８１−Ｙｅｓ）。この場合、図２９に示されるように、消去モード制御部３２６（図２７）は、タッチパネルディスプレイ１００（図２７、３０）の表示画面１２０（図２７）に描画情報を表示している文字表示領域１０のうちの消去指定領域１５を消去させるための消去命令を制御装置（２００）に出力する（ステップＳ８２）。制御装置２００は、消去命令に応じて、後述の消去処理（ステップＳ８００）を行なう。
【０１０９】
消去モード（ステップＳ８０）の消去処理（ステップＳ８００）において、制御装置２００のペン入力表示制御部２２１（図２７）は、タッチパネルディスプレイ１００（図２７、３０）の表示画面１２０（図２７）に描画情報を表示している文字表示領域１０のうちの、消去命令により指定された消去指定領域１５を消去する。
【０１１０】
以上の説明により、本発明の第４実施形態に係るペン入力システムでは、図２７〜３０に示されるように、タッチペン３００は、消去モード制御部３２６を更に具備している。ペン動作モード制御部３２２は、第１端部３１がタッチパネルディスプレイ１００に向いていなく、タッチペン３００がタッチパネルディスプレイ１００の表示面に平行である場合、消去許可信号を制御装置２００に出力する。消去モード制御部３２６は、消去許可信号が出力されている消去モードにおいて、タッチパネルディスプレイ１００に描画情報が表示されている文字表示領域１０のうちの消去指定領域１５を指定するように、タッチペン３００がタッチパネルディスプレイ１００の表示面に平行のまま移動している場合、消去指定領域１５を消去させるための消去命令を制御装置２００に出力する。
【０１１１】
このように、本発明の第４実施形態に係るペン入力システムによれば、ユーザがタッチペン３００に対して上述の動作を行なうことにより、ペン入力モードとアイコン操作モードとペン設定モード（省電力モード）と消去モードとを容易に切り替えることができる。また、消去モードにおいて、ユーザがタッチペン３００に対して上述の動作を行なうことにより、消去命令を容易に行なうことができる。
【０１１２】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【０１１３】
１０  …  文字表示領域
１１  …  手書き文字
１２  …  近似登録文字
１３  …  入力文字
１４  …  候補登録文字
１５  …  消去指定領域
２０  …  アイコン
３１  …  第１端部
３２  …  第２端部
１００  …  タッチパネルディスプレイ
１１０  …  タッチパネル（入力検知部）
１２０  …  表示画面（表示部）
２００  …  制御装置
２１０  …  記憶部
２２０  …  制御部
２２１  …  ペン入力表示制御部
２２２  …  アイコン表示制御部
２３０  …  文字データベース
３００  …  タッチペン
３１０  …  記憶部
３２０  …  制御部
３２１  …  座標設定制御部
３２２  …  ペン動作モード制御部
３２３  …  ペン入力モード制御部
３２４  …  アイコン操作モード制御部
３２５  …  ペン設定モード制御部
３２６  …  消去モード制御部
３３０  …  ジャイロセンサ（向き検出部）
３４０  …  加速度センサ（移動量検出部）
３５０  …  第１スイッチ
３６０  …  第２スイッチ
３７０  …  電源部
３７２  …  バッテリー
３８０  …  電源スイッチ
ＮＥ  …  ネットワーク
【図１】
0006615491.tif 000002
【図２】
0006615491.tif 000003
【図３】
0006615491.tif 000004
【図４】
0006615491.tif 000005
【図５】
0006615491.tif 000006
【図６】
0006615491.tif 000007
【図７】
0006615491.tif 000008
【図８】
0006615491.tif 000009
【図９】
0006615491.tif 000010
【図１０】
0006615491.tif 000011
【図１１】
0006615491.tif 000012
【図１２】
0006615491.tif 000013
【図１３】
0006615491.tif 000014
【図１４】
0006615491.tif 000015
【図１５】
0006615491.tif 000016
【図１６】
0006615491.tif 000017
【図１７】
0006615491.tif 000018
【図１８】
0006615491.tif 000019
【図１９】
0006615491.tif 000020
【図２０】
0006615491.tif 000021
【図２１】
0006615491.tif 000022
【図２２】
0006615491.tif 000023
【図２３】
0006615491.tif 000024
【図２４】
0006615491.tif 000025
【図２５】
0006615491.tif 000026
【図２６】
0006615491.tif 000027
【図２７】
0006615491.tif 000028
【図２８】
0006615491.tif 000029
【図２９】
0006615491.tif 000030
【図３０】
0006615491.tif 000031